【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
画像データの供給を受けて符号化する符号化装置において、
前記画像データを所定数のブロックに分割するブロック分割手段と、
前記ブロック分割手段により分割された前記ブロックに含まれる各画素に対して、２次微分情報を検出する２次微分情報検出手段と、
前記２次微分情報検出手段により検出された前記２次微分情報に基づいて、量子化結果に前記２次微分情報が保たれるように量子化を実行する量子化手段と
を備えることを特徴とする符号化装置。
【請求項２】
前記２次微分情報検出手段は、
注目画素と、前記注目画素の周辺画素を抽出する抽出手段と、
前記注目画素と前記周辺画素との画素値によって描かれる軌跡の２次微分を求める２次微分情報算出手段と
を更に備えることを特徴とする請求項１に記載の符号化装置。
【請求項３】
前記２次微分情報は、前記注目画素と前記周辺画素との画素値によって描かれる軌跡が、前記注目画素において、上に凸であるか下に凸であるかを示す情報である
ことを特徴とする請求項２に記載の符号化装置。
【請求項４】
前記量子化手段は、
前記ブロックごとに、ダイナミックレンジを検出して、所定の量子化ビット数を基に、前記ブロック内の画素の画素値の最大値と最小値との間が等間隔となるように量子化代表値を設定し、
前記２次微分情報を基に、各画素がいずれの前記量子化代表値に量子化されるかを決定する
ことを特徴とする請求項１に記載の符号化装置。
【請求項５】
前記２次微分情報は、前記注目画素と前記周辺画素との画素値によって描かれる軌跡が、注目画素において、上に凸であるか下に凸であるかを示す情報であり、
前記量子化手段は、
前記注目画素に対応する前記２次微分情報が上に凸であることを示していた場合、前記注目画素より大きな前記量子化代表値のうち一番近い値を、前記注目画素の量子化代表値とし、
前記注目画素に対応する前記２次微分情報が下に凸であることを示していた場合、前記注目画素より小さな前記量子化代表値のうち一番近い値を、前記注目画素の量子化代表値とする
ことを特徴とする請求項４に記載の符号化装置。
【請求項６】
前記量子化手段は、入力された画像のデータのダイナミックレンジに適応した可変長の符号を出力する
ことを特徴とする請求項１に記載の符号化装置。
【請求項７】
前記画像データにノイズを付加するノイズ付加手段
を更に備えることを特徴とする請求項１に記載の符号化装置。
【請求項８】
複数のフレームデータからなる入力画像データにおいて、第１のフレームデータを符号化する符号化手段と、
前記符号化手段により符号化された前記第１のフレームデータを復号して処理済フレームデータを生成する復号手段と、
前記復号手段により生成された前記処理済フレームと、前記第１のフレームデータより時間的に１フレーム前の第２のフレームデータとの差分画像データを生成する差分画像データ生成手段と
を更に備え、
前記ブロック分割手段に供給される前記画像データは、前記差分画像データである
ことを特徴とする請求項１に記載の符号化装置。
【請求項９】
画像データの供給を受けて符号化する符号化装置の符号化方法において、
前記画像データを所定数のブロックに分割するブロック分割ステップと、
前記ブロック分割ステップの処理により分割された前記ブロックに含まれる各画素に対して、２次微分情報を検出する２次微分情報検出ステップと、
前記２次微分情報検出ステップの処理により検出された前記２次微分情報に基づいて、量子化結果に前記２次微分情報が保たれるように量子化を実行する量子化ステップと
を含むことを特徴とする符号化方法。
【請求項１０】
画像データの供給を受けて符号化する処理をコンピュータに実行させるためのプログラムであって、
前記画像データを所定数のブロックに分割するブロック分割ステップと、
前記ブロック分割ステップの処理により分割された前記ブロックに含まれる各画素に対して、２次微分情報を検出する２次微分情報検出ステップと、
前記２次微分情報検出ステップの処理により検出された前記２次微分情報に基づいて、量子化結果に前記２次微分情報が保たれるように量子化を実行する量子化ステップと
を含むことを特徴とするプログラムが記録されたコンピュータにより読み取りが可能な記録媒体。
【請求項１１】
画像データの供給を受けて符号化する処理をコンピュータに実行させるためのプログラムであって、
前記画像データを所定数のブロックに分割するブロック分割ステップと、
前記ブロック分割ステップの処理により分割された前記ブロックに含まれる各画素に対して、２次微分情報を検出する２次微分情報検出ステップと、
前記２次微分情報検出ステップの処理により検出された前記２次微分情報に基づいて、量子化結果に前記２次微分情報が保たれるように量子化を実行する量子化ステップと
を含むことを特徴とする処理をコンピュータに実行させるためのプログラム。
【請求項１２】
符号化画像データの供給を受けて復号する復号装置において、
注目画素と前記注目画素の周辺画素との画素値の変化の程度を示す２次微分情報を基に符号化された前記符号化画像データの入力を受け、入力された前記符号化画像データの各ブロックの最小値とダイナミックレンジ、および、量子化コードを検出する検出手段と、
前記検出手段により検出された情報を基に逆量子化を実行して、得られた画像データを出力する逆量子化手段と
を備えることを特徴とする復号装置。
【請求項１３】
前記２次微分情報は、前記注目画素と前記周辺画素との画素値によって描かれる軌跡が、前記注目画素において、上に凸であるか下に凸であるかを示す情報である
ことを特徴とする請求項１２に記載の復号装置。
【請求項１４】
前記逆量子化手段により得られた前記画素データに、ノイズを付加するノイズ付加手段
を更に備えることを特徴とする請求項１２に記載の復号装置。
【請求項１５】
前記逆量子化手段から出力された第１のフレームデータと、前記逆量子化手段から出力された第２のフレームデータを加算する加算手段を更に備え、
前記検出手段は、複数のフレームにより構成される前記符号化画像データの入力を受け、
前記第２のフレームデータは、前記第１のフレームデータより時間的に１フレーム前のフレームデータである
ことを特徴とする請求項１２に記載の復号装置。
【請求項１６】
フレーム内符号化された基準フレームと、他のフレームデータを用いて符号化された予測フレームとを含む複数のフレームにより構成される前記符号化画像データの入力を受けて、前記基準フレームと前記予測フレームとに分離する分離手段と、
前記分離手段により分離された前記基準フレームを復号する復号手段と、
前記逆量子化手段から出力された第１のフレームデータと、前記復号手段により復号された、または、前記逆量子化手段から出力された第２のフレームデータを加算する加算手段と
を更に備え、
前記第２のフレームデータは、前記第１のフレームデータより時間的に１フレーム前のフレームデータである
ことを特徴とする請求項１２に記載の復号装置。
【請求項１７】
符号化画像データの供給を受けて復号する復号装置の復号方法において、
注目画素と前記注目画素の周辺画素との画素値の変化の程度を示す２次微分情報を基に符号化された前記符号化画像データの入力を受け、入力された前記符号化画像データの各ブロックの最小値とダイナミックレンジ、および、量子化コードを検出する検出ステップと、
前記検出ステップの処理により検出された情報を基に逆量子化を実行して、得られた画像データを出力する逆量子化ステップと
を含むことを特徴とする復号方法。
【請求項１８】
符号化画像データの供給を受けて復号する処理をコンピュータに実行させるためのプログラムであって、
注目画素と前記注目画素の周辺画素との画素値の変化の程度を示す２次微分情報を基に符号化された前記符号化画像データの入力を受け、入力された前記符号化画像データの各ブロックの最小値とダイナミックレンジ、および、量子化コードを検出する検出ステップと、
前記検出ステップの処理により検出された情報を基に逆量子化を実行して、得られた画像データを出力する逆量子化ステップと
を含むことを特徴とするプログラムが記録されたコンピュータにより読み取り可能な記録媒体。
【請求項１９】
符号化画像データの供給を受けて復号する処理をコンピュータに実行させるためのプログラムであって、
注目画素と前記注目画素の周辺画素との画素値の変化の程度を示す２次微分情報を基に符号化された前記符号化画像データの入力を受け、入力された前記符号化画像データの各ブロックの最小値とダイナミックレンジ、および、量子化コードを検出する検出ステップと、
前記検出ステップの処理により検出された情報を基に逆量子化を実行して、得られた画像データを出力する逆量子化ステップと
を含むことを特徴とする処理をコンピュータに実行させるためのプログラム。
【請求項２０】
符号化部および復号部を含み、前記符号化部および前記復号部において、画像データに対して符号化処理および復号処理を繰り返すことにより、前記画像データが劣化するようになされている画像処理システムにおいて、
前記符号化部は、
前記画像データを所定数のブロックに分割するブロック分割手段と、
前記ブロック分割手段により分割された前記ブロックに含まれる各画素に対して、２次微分情報を検出する２次微分情報検出手段と、
前記２次微分情報検出手段により検出された前記２次微分情報に基づいて、量子化結果に前記２次微分情報が保たれるように量子化を実行する量子化手段と
を備える
ことを特徴とする画像処理システム。
【請求項２１】
符号化部および復号部を含み、前記符号化部および前記復号部において、画像データに対して符号化処理および復号処理を繰り返すことにより、前記画像データが劣化するようになされている画像処理システムにおいて、
前記復号部は、
前記画像データの注目画素と前記注目画素の周辺画素との画素値の変化の程度を示す２次微分情報を基に符号化された符号化画像データの入力を受け、入力された前記符号化画像データの各ブロックの最小値とダイナミックレンジ、および、量子化コードを検出する検出手段と、
前記検出手段により検出された情報を基に逆量子化を実行して、得られた画像データを出力する逆量子化手段と
を備える
ことを特徴とする画像処理システム。
【手続補正２】
【補正対象書類名】明細書
【補正対象項目名】発明の名称
【補正方法】変更
【補正の内容】
【発明の名称】符号化装置および方法、復号装置および方法、画像処理システム、記録媒体、並びにプログラム
【手続補正３】
【補正対象書類名】明細書
【補正対象項目名】０００１
【補正方法】変更
【補正の内容】
【０００１】
本発明は、符号化装置および方法、復号装置および方法、画像処理システム、記録媒体、並びにプログラムに関し、特に、アナログ信号を利用した不正コピーを防止する符号化装置および方法、復号装置および方法、画像処理システム、記録媒体、並びにプログラムに関する。
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００４３
【補正方法】削除
【補正の内容】
【手続補正１２】
【補正対象書類名】明細書
【補正対象項目名】００４４
【補正方法】削除
【補正の内容】
【手続補正１３】
【補正対象書類名】明細書
【補正対象項目名】００４５
【補正方法】削除
【補正の内容】
【手続補正１４】
【補正対象書類名】明細書
【補正対象項目名】００４６
【補正方法】削除
【補正の内容】
【手続補正１５】
【補正対象書類名】明細書
【補正対象項目名】００５０
【補正方法】削除
【補正の内容】
【手続補正１６】
【補正対象書類名】明細書
【補正対象項目名】００５１
【補正方法】削除
【補正の内容】
【手続補正１７】
【補正対象書類名】明細書
【補正対象項目名】００５３
【補正方法】削除
【補正の内容】
【手続補正１８】
【補正対象書類名】明細書
【補正対象項目名】００５４
【補正方法】削除
【補正の内容】
【手続補正１９】
【補正対象書類名】明細書
【補正対象項目名】００５５
【補正方法】変更
【補正の内容】
【００５５】
本発明の符号化装置および方法、第１のプログラム、並びに、第１の画像処理システムにおいては、画像データが所定数のブロックに分割され、分割されたブロックに含まれる各画素に対して、２次微分情報が検出され、２検出された２次微分情報に基づいて、量子化結果に２次微分情報が保たれるように量子化が実行される。
【手続補正２０】
【補正対象書類名】明細書
【補正対象項目名】００５６
【補正方法】変更
【補正の内容】
【００５６】
本発明の復号装置および方法、第２のプログラム、並びに、第２の画像処理システムにおいては、注目画素と注目画素の周辺画素との画素値の変化の程度を示す２次微分情報を基に符号化された符号化画像データの入力を受け、入力された符号化画像データの各ブロックの最小値とダイナミックレンジ、および、量子化コードが検出され、検出された情報を基に逆量子化が実行されて、得られた画像データが出力される。
【手続補正２１】
【補正対象書類名】明細書
【補正対象項目名】００６７
【補正方法】削除
【補正の内容】
【手続補正２２】
【補正対象書類名】明細書
【補正対象項目名】００６８
【補正方法】削除
【補正の内容】
【手続補正２３】
【補正対象書類名】明細書
【補正対象項目名】００６９
【補正方法】削除
【補正の内容】
【手続補正２４】
【補正対象書類名】明細書
【補正対象項目名】００７０
【補正方法】削除
【補正の内容】
【手続補正２５】
【補正対象書類名】明細書
【補正対象項目名】００７１
【補正方法】変更
【補正の内容】
【００７１】
また、請求項１０に記載の記録媒体に記録されているプログラム、および、請求項１１に記載のプログラムにおいても、各ステップが対応する実施の形態（但し一例）は、請求項９に記載の符号化方法と同様である。
【手続補正２６】
【補正対象書類名】明細書
【補正対象項目名】００７２
【補正方法】変更
【補正の内容】
【００７２】
請求項１２に記載の復号装置（例えば、図２の再生機６１、復号部７１、または、復号部８４、もしくは、図１６の再生機２０２、または復号部２１２）は、注目画素と注目画素の周辺画素との画素値の変化の程度を示す２次微分情報を基に符号化された符号化画像データの入力を受け、入力された符号化画像データの各ブロックの最小値とダイナミックレンジ、および、量子化コードを検出する検出手段（例えば、図１２または図２２の特徴量検出部１５１）と、検出手段により検出された情報を基に逆量子化を実行して、得られた画像データを出力する逆量子化手段（例えば、図１２または図２２の逆量子化部１５２）とを備えることを特徴とする。
【手続補正２７】
【補正対象書類名】明細書
【補正対象項目名】００７６
【補正方法】変更
【補正の内容】
【００７６】
請求項１７に記載の復号方法は、符号化画像データの供給を受けて復号する復号装置（例えば、図２の再生機６１、復号部７１、または、復号部８４、もしくは、図１６の再生機２０２、または復号部２１２）の復号方法であって、注目画素と注目画素の周辺画素との画素値の変化の程度を示す２次微分情報を基に符号化された符号化画像データの入力を受け、入力された符号化画像データの各ブロックの最小値とダイナミックレンジ、および、量子化コードを検出する検出ステップ（例えば、図１５のステップＳ５１または図２７のステップＳ１７６の処理）と、検出ステップの処理により検出された情報を基に逆量子化を実行して、得られた画像データを出力する逆量子化ステップ（例えば、図５のステップＳ５２または図２７のステップＳ１７７の処理）とを含むことを特徴とする。
【手続補正２８】
【補正対象書類名】明細書
【補正対象項目名】００７７
【補正方法】削除
【補正の内容】
【手続補正２９】
【補正対象書類名】明細書
【補正対象項目名】００７８
【補正方法】削除
【補正の内容】
【手続補正３０】
【補正対象書類名】明細書
【補正対象項目名】００７９
【補正方法】削除
【補正の内容】
【手続補正３１】
【補正対象書類名】明細書
【補正対象項目名】００８０
【補正方法】変更
【補正の内容】
【００８０】
また、請求項１８に記載の記録媒体に記録されているプログラム、および、請求項１９に記載のプログラムにおいても、各ステップが対応する実施の形態（但し一例）は、請求項１７に記載の復号方法と同様である。
【手続補正３２】
【補正対象書類名】明細書
【補正対象項目名】００８１
【補正方法】変更
【補正の内容】
【００８１】
請求項２０に記載の画像処理システムは、符号化部（例えば、図２の符号化装置６３または符号化部８２、もしくは、図１６の符号化装置２０１または符号化部２１１）および復号部（例えば、図２の復号部７１または復号部８４、もしくは、図１６の再生機２０２、または復号部２１２）を含み、符号化部および復号部において、画像データに対して符号化処理および復号処理を繰り返すことにより、画像データが劣化するようになされている画像処理システムであって、符号化部は、画像データを所定数のブロックに分割するブロック分割手段（例えば、図４または図２０のブロック分割部１０１）と、ブロック分割手段により分割されたブロックに含まれる各画素に対して、２次微分情報を検出する２次微分情報検出手段（例えば、図４または図２０の２次微分情報判定部１０２）と、２次微分情報検出手段により検出された２次微分情報に基づいて、量子化結果に２次微分情報が保たれるように量子化を実行する量子化手段（例えば、図４または図２０の量子化部１０３）とを備えることを特徴とする。
【手続補正３３】
【補正対象書類名】明細書
【補正対象項目名】００８２
【補正方法】削除
【補正の内容】
【手続補正３４】
【補正対象書類名】明細書
【補正対象項目名】００８３
【補正方法】削除
【補正の内容】
【手続補正３５】
【補正対象書類名】明細書
【補正対象項目名】００８４
【補正方法】変更
【補正の内容】
【００８４】
請求項２１に記載の画像処理システムは、符号化部（例えば、図２の符号化装置６３または符号化部８２、もしくは、図１６の符号化装置２０１または符号化部２１１）および復号部（例えば、図２の復号部７１または復号部８４、もしくは、図１６の再生機２０２、または復号部２１２）を含み、符号化部および復号部において、画像データに対して符号化処理および復号処理を繰り返すことにより、画像データが劣化するようになされている画像処理システムであって、復号部は、画像データの注目画素と注目画素の周辺画素との画素値の変化の程度を示す２次微分情報を基に符号化された符号化画像データの入力を受け、入力された符号化画像データの各ブロックの最小値とダイナミックレンジ、および、量子化コードを検出する検出手段（例えば、図１２または図２２の特徴量検出部１５１）と、検出手段により検出された情報を基に逆量子化を実行して、得られた画像データを出力する逆量子化手段（例えば、図１２または図２２の逆量子化部１５２）とを備えることを特徴とする。
【手続補正３６】
【補正対象書類名】明細書
【補正対象項目名】００８５
【補正方法】削除
【補正の内容】
【手続補正３７】
【補正対象書類名】明細書
【補正対象項目名】００８６
【補正方法】削除
【補正の内容】